Podtech/llm-jp-corpus-v4-ja_patent huggingface dataset:
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
ｐＨが３〜１１の範囲にある水性研磨組成物であって、
（Ａ）成分（Ｂ）を含まず且つｐＨが３〜９の範囲にある水性媒体中に分散させた場合、電気泳動移動度で測定すると正に荷電する少なくとも一種の研磨剤粒子、
（Ｂ）少なくとも一種のアニオン性リン酸塩分散剤、及び
（Ｃ）以下の（ｃ１）〜（ｃ３）からなる群から選ばれる少なくとも一種の多価アルコール成分：
（ｃ１）水性媒体で解離不能な少なくとも４個のヒドロキシ基をもつ、水溶性および水分散性の脂肪族および脂環式モノマー・ダイマー・オリゴマー状のポリオールからなる群から選ばれる多価アルコール；
（ｃ２）以下の（ｃ２１）及び（ｃ２２）の混合物：
（ｃ２１）水性媒体で解離不能な少なくとも２個のヒドロキシ基をもつ水溶性および水分散性の脂肪族および脂環式ポリオールからなる群から選ばれる少なくとも一種の多価アルコール；および
（ｃ２２）線状および分岐状のアルキレンオキシドホモポリマーとコポリマー（ｃ２２１）と線状および分岐状の脂肪族および脂環式のポリ（Ｎ−ビニルアミド）のホモポリマーとコポリマー（ｃ２２２）からなる群から選ばれる少なくとも一種の水溶性または水分散性のポリマー；および  
（ｃ３）（ｃ１）と（ｃ２）の混合物、
を含み、
前記多価アルコール（ｃ１）が当該組成物の総質量に対して０．００５〜０．５質量％の量で含まれていることを特徴とする組成物。
【請求項２】
上記研磨剤粒子（Ａ）がセリアを含む又はセリアからなる無機粒子である請求項１に記載の水性研磨組成物。
【請求項３】
前記ポリオール（ｃ２１）が当該組成物の総質量に対して０．０５〜５質量％の量で使用され、そして
前記ポリマー（ｃ２２）が当該組成物の総質量に対して０．００５〜５質量％の量で使用される請求項１または２に記載の水性研磨組成物。
【請求項４】
上記アニオン性リン酸塩分散剤（Ｂ）が、水溶性縮合リン酸塩の群から選ばれる請求項１〜３のいずれか一項に記載の水性研磨組成物。
【請求項５】
上記水溶性縮合リン酸塩（Ｂ）が、一般式Ｉ：
［Ｍ＋ｎ（ＰＯ３）ｎ］  （Ｉ）；  
のメタリン酸塩と、一般式ＩＩとＩＩＩ：  
Ｍ＋ｎＰｎＯ３ｎ＋１  （ＩＩ）；  
Ｍ＋Ｈ２ＰｎＯ３ｎ＋１  （ＩＩＩ）；  
のポリリン酸塩（式中、Ｍはアンモニウム、ナトリウム又はカリウムであり、指数ｎは２〜１０，０００である）からなる群から選ばれる請求項４に記載の水性研磨組成物。
【請求項６】
上記の水性媒体で解離不能な少なくとも４個のヒドロキシ基をもつ水溶性および水分散性で脂肪族および脂環式モノマー・ダイマー・オリゴマー状のポリオール（ｃ１）が、エリトリトール、ペンタエリスリトール、アルジトール、シクリトール、炭水化物、及びグリセロール、エリスリトール、ペンタエリスリトール、アルジトール及びシクリトールのダイマーとオリゴマーからなる群から選ばれる請求項１〜５のいずれか一項に記載の水性研磨組成物。
【請求項７】
上記アルジトール（ｃ１）がテトリトール、ペンチトール、ヘキシトール、ヘプチトール及びオクチトールからなる群から選ばれ；上記シクリトール（ｃ１）がイノシトールから選ばれ；上記炭水化物（ｃ１）が単糖、二糖、オリゴ糖、多糖、デソキシ糖及びアミノ糖からなる群から選ばれる請求項６に記載の水性研磨組成物。
【請求項８】
上記単糖（ｃ１）がアロース、アルトロース、グルコース、マンノース、イドース、ガラクトース及びタロースからなる群から選ばれる請求項７に記載の水性研磨組成物。
【請求項９】
上記の水性媒体で解離不能な２〜３個のヒドロキシ基をもつ水溶性または水分散性の脂肪族または脂環式ポリオール（ｃ２１）が、エチレングリコール、プロピレングリコール、ジエチレングリコール、トリエチレングリコール、ジプロピレングリコール、トリプロピレングリコール、エチレンプロピレングリコール、ジエチレンプロピレングリコール、エチレンジプロピレングリコール、グリセロール、１，２，３−トリヒドロキシ−ｎ−ブタン、トリメチロールプロパン、及びこれらの混合物からなる群から選ばれ；上記水溶性または水分散性の直鎖又は分岐鎖のアルキレンオキシドホモポリマーまたはコポリマー（ｃ２２１）が、エチレンオキシド及びプロピレンオキシドのホモポリマーとコポリマーからなる群から選ばれ；また、上記直鎖又は分岐鎖の脂肪族または脂環式ポリ（Ｎ−ビニルアミド）ホモポリマーまたはコポリマー（ｃ２２２）が、Ｎ−ビニルアセトアミド、Ｎ−ビニルピロリドン、Ｎ−ビニルバレロラクタム、Ｎ−ビニルカプロラクタム、Ｎ−ビニルスクシンイミド、及びこれらの混合物からなる群から選ばれる脂肪族および脂環式のＮ−ビニルアミドモノマーのホモポリマーとコポリマーからなる群から選ばれる請求項１〜８のいずれか一項に記載の水性研磨組成物。
【請求項１０】
成分（Ａ）、（Ｂ）及び（Ｃ）とは異なる少なくとも一種のｐＨ調整剤または緩衝剤（Ｅ）を含む請求項１〜９のいずれか一項に記載の水性研磨組成物。
【請求項１１】
成分（Ａ）、（Ｂ）及び（Ｃ）とは異なる少なくとも一種の機能性成分（Ｄ）を含み、該機能性成分（Ｄ）が、粒子（Ａ）とは異なる有機、無機、複合有機・無機研磨剤粒子、下限臨界溶解温度ＬＣＳＴまたは上限臨界溶解温度ＵＣＳＴを持つ材料、酸化剤、不動態化剤、電荷反転剤、錯化剤またはキレート剤、摩擦剤、安定化剤、レオロジー剤、界面活性剤、殺菌剤、金属カチオン、及び有機溶媒からなる群から選ばれる請求項１〜１０のいずれか一項に記載の水性研磨組成物。
【請求項１２】
上記殺菌剤（Ｄ１）が、水溶性または水分散性のＮ−置換されたジアゼニウムジオキシド及びＮ’−ヒドロキシ−ジアゼニウムオキシド塩からなる群から選ばれる請求項１１に記載の水性研磨組成物。
【請求項１３】
基板を少なくとも一度水性研磨組成物と接触させ、所望の平面性が得られるまで該基板を研磨することからなる電気機器、機械機器及び光学機器用の基板の研磨方法であって、請求項１〜１２のいずれか一項に記載の水性研磨組成物を使用する方法。
【請求項１４】
上記基板が、少なくとも一種の誘電体酸化ケイ素材料を含むかこれからなる層を少なくとも一層と、窒化ケイ素からなる層を少なくとも一層もつ請求項１３に記載の方法。
【請求項１５】
請求項１〜１２のいずれか一項に記載の水性研磨組成物を、電気機器、機械機器及び光学機器の製造のために使用する方法。
【誤訳訂正書】
【提出日】平成26年9月17日(2014.9.17)
【誤訳訂正１】
【訂正対象書類名】特許請求の範囲
【訂正対象項目名】請求項１０
【訂正方法】変更
【訂正の内容】
【請求項１０】
生産されたガソリン又は沸点が２２０℃以下の流体から選択された少なくとも一つの炭化水素が第一分解ステップに注入され、流動床触媒分解プロセスの炭化水素分別ステップで再生された沸点が３５０℃より高いHCOタイプの生産物又はスラリーが第二分解ステップに注入され、これらの二つのステップは除去ステップによって切り離されていることを特徴とする請求項１ないし９の何れか１項に記載の多段式分解除去プロセス。
【誤訳訂正書】
【提出日】平成26年10月1日(2014.10.1)
【誤訳訂正１】
【訂正対象書類名】特許請求の範囲
【訂正対象項目名】全文
【訂正方法】変更
【訂正の内容】
【特許請求の範囲】
【請求項１】
インク受容材料を押し出された形態で含むインク印刷可能な構成物であって、前記インク受容材料が、（ｉ）エチレン残基及びビニルアルコール残基を含むポリマー、並びにビニルアルコール残基を含むポリマーからなる群から選択される第１のポリマー、並びに（ｉｉ）エチレン残基、酢酸ビニル残基及び無水マレイン酸残基を含む第２のポリマーの混合物を含み、前記混合物中の第１のポリマーの量が５０重量％〜９５重量％であり、
ここで、前記第１のポリマーが、エチレン残基及びビニルアルコール残基を含み、前記第１のポリマー中のビニルアルコール残基の量が５０％〜９９重量％であり、
前記第２のポリマー中の酢酸ビニル残基の量が２０％〜３０％であり、前記第２のポリマー中の無水マレイン酸残基の量が０．０５％〜５％である、
構成物。
【請求項２】
前記インク受容材料と結合した支持体をさらに含む、請求項１に記載の前記インク印刷可能な構成物。
【請求項３】
前記支持体の組成が、ポリエチレン、ポリプロピレン、ポリメチルペンテン、ポリブチレン、ポリエチレンテレフタレート、ポリスチレン、ポリカーボネート、ポリアミド、及びセルロース、並びにこれらの２つ以上の組合せからなる群から選択される、請求項２に記載の前記インク印刷可能な構成物。
【請求項４】
前記支持体の構成物が、低密度ポリエチレン及び高密度ポリエチレンの一方又は両方を含む、請求項２に記載の前記インク印刷可能な構成物。
【請求項５】
前記支持体が、２つの基材層の間に設けられたスクリムを含み、前記インク受容材料が、前記２つの基材層の一方又は両方の表面上に設けられている、請求項２〜４のいずれか一項に記載の前記インク印刷可能な構成物。
【請求項６】
請求項５に記載のインク印刷可能な構成物を準備する方法であって、
（ａ）前記２つの基材層を前記スクリムの両側に押し出し、
（ｂ）前記２つの基材層の一方又は両方の表面上に、前記インク受容材料を押し出すことを含む、方法。
【請求項７】
請求項１〜６のいずれか一項に記載のインク印刷可能な構成物、及び前記インク受容材料上のインクによるデザインを含むディスプレイ。
【請求項８】
（ａ）第１の側及び第２の側を有する平坦なスクリム、
（ｂ）前記平坦なスクリムの第１の側及び第２の側上に押し出されたポリマーフィルム、並びに
（ｃ）インク受容材料として、前記平坦なスクリムの第１の側及び第２の側の一方又は両方上の前記押し出されたポリマーフィルム上に押し出されたフィルム
を含むインク印刷可能な構成物であって、前記インク受容材料の前記押し出されたフィルムが、（ｉ）エチレン残基及びビニルアルコール残基を含む第１のポリマーと、（ｉｉ）エチレン残基、酢酸ビニル残基及び無水マレイン酸残基を含む第２のポリマーとの混合物を含み、前記混合物中の前記第１のポリマーの量が５０％〜９５重量％であり、
ここで、前記第１のポリマーが、エチレン残基及びビニルアルコール残基を含み、前記第１のポリマー中のビニルアルコール残基の量が５０％〜９９重量％であり、
前記第２のポリマー中の酢酸ビニル残基の量が２０％〜３０％であり、前記第２のポリマー中の無水マレイン酸残基の量が０．０５％〜５％である、構成物。
【請求項９】
前記押し出されたポリマーフィルムが、低密度ポリエチレン及び高密度ポリエチレンの一方又は両方を含む、請求項８に記載のインク印刷可能な構成物。
【請求項１０】
（ａ）第１のポリマーフィルムを、前記平坦なスクリムの少なくとも第１の側上に押し出し、
（ｂ）第２のポリマーフィルムを、前記平坦なスクリムの前記第２の側に押し出し、
（ｃ）前記インク受容材料を、押し出されたフィルムの形態で、前記第１のポリマーフィルム及び前記第２のポリマーフィルムの一方又は両方上に押し出すことを含み、
前記インク受容材料が、（ｉ）エチレン残基及びビニルアルコール残基を含む第１のポリマー、並びに（ｉｉ）エチレン残基、酢酸ビニル残基及び無水マレイン酸残基を含む第２のポリマーの混合物を含み、前記混合物中の第１のポリマーの量が５０重量％〜９５重量％であり、
ここで、前記第１のポリマーが、エチレン残基及びビニルアルコール残基を含み、前記第１のポリマー中のビニルアルコール残基の量が５０％〜９９重量％であり、
前記第２のポリマー中の酢酸ビニル残基の量が２０％〜３０％であり、前記第２のポリマー中の無水マレイン酸残基の量が０．０５％〜５％である、
請求項８もしくは９に記載のインク印刷可能な構成物を準備する方法。
【誤訳訂正２】
【訂正対象書類名】明細書
【訂正対象項目名】００７０
【訂正方法】変更
【訂正の内容】
【００７０】
例１
ＳＯＡＲＮＯＬ（登録商標）Ａ４４１２ポリマー（Ｓｏａｒｕｓ  Ｌ．Ｌ．Ｃ．）（エチレン（４４％）及びビニルアルコール（５６％）のコポリマーであり、メルトインデックス数１２）（９０グラム（ｇ））と、ＯＲＥＶＡＣ−Ｔ（登録商標）９３０４ポリマー（Ａｒｋｅｍａ）（エチレン（７４．８４％）、酢酸ビニル（２３．５〜２６．５％）及び無水マレイン酸（０．１６％）のターポリマー）１０ｇとを、ミキシングバッグ中で十分に混合し、その後で押出機に混合物を入れた。混合物をフィルムとして支持体の片側に押出した。支持体は、約７６．２ミクロンの厚みを有するスクリムであった。押出し時の温度は１９０〜２６０℃で制御した。押し出されたフィルムの厚みは、約５０．８〜約７６．２ミクロンで制御した。そして、押し出されたフィルムを、ＨＰ  ＤＥＳＩＧＮＪＥＴ（登録商標）Ｌ２５５００を使用して１０パス印刷モードで印刷し、９０℃で硬化し、２４時間維持し、その後、画像品質、化学的擦過抵抗、引掻き抵抗、及びインク接着性の評価を行った。
【誤訳訂正書】
【提出日】平成26年4月23日(2014.4.23)
【誤訳訂正１】
【訂正対象書類名】明細書
【訂正対象項目名】００８３
【訂正方法】変更
【訂正の内容】
【００８３】
つまりプリプレグは、通常は数日、もちろん数週間の間、貯蔵安定性であり、このためいつでもさらに加工して複合材にすることができる。このことは、反応性であって貯蔵安定性ではない前述の２成分系とは本質的な相違点である。それというのも、この２成分系は施与後にすぐに反応、架橋し始めてポリウレタンになるからである。本発明による方法は、公知の設備および装置を用いて、反応型射出成形法（ＲＩＭ）、強化反応型射出成形法（ＲＲＩＭ）、引き抜き成形法、ローラミル（Walzenstuhl）中でのまたは高温のドクターブレードを用いての溶液の適用によって、または他の方法によって実施できる。
【誤訳訂正２】
【訂正対象書類名】特許請求の範囲
【訂正対象項目名】請求項１８
【訂正方法】変更
【訂正の内容】
【請求項１８】
請求項１から１３までのいずれか１項に記載の方法に従って、反応型射出成形法（ＲＩＭ）、強化反応型射出成形法（ＲＲＩＭ）、引き抜き成形法、ローラミル中でのまたは高温のドクターブレードによる溶液の施与によって製造されたプリプレグ。
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
病院の複数の病室の各々の入口にそれぞれ配置された複数のデバイスであって、プロセッサと、メモリと、スピーカまたは音声発生器と、プログラムされた模擬音声警告に対応する疾患、病状または隔離タイプを認定ユーザに選択させるように機能するプログラミング命令セットと、を有する複数のデバイスと、
前記模擬音声警告が作動するようにプログラムされた入室検出器と、
前記複数の病室の各々の入口に配置された前記複数のデバイスと通信する看護コンソールであって、前記複数のデバイス毎に、発生する１つ以上の模擬音声警告を遠隔的に選択するように適合した看護コンソールと、
を備え、
前記複数のデバイスの各々は、前記デバイスが配置された病室への入室が検出されたときに、前記デバイスが、選択された疾患、病状または隔離タイプに対応する１つ以上の模擬音声警告を発生するように構成されており、
前記看護コンソールは、前記認定ユーザに、１つ以上のメニューから疾患、病状または隔離タイプを択一的に選択させるように構成されており、各選択結果は、前記プログラムされた模擬音声警告の１つ以上に対応している、
ことを特徴とするシステム。
【請求項２】
面会者や医療スタッフに対して病室の患者の状態を警告する方法であって、
請求項１のシステムを用いるステップと、
前記複数の病室の各々の入口の外側に前記複数のデバイスのうち１つのデバイスを配置するステップと、
人間が前記複数の病室の何れかに入るのを検出したときに、前記１つ以上の模擬音声警告のうち１つまたはこれらの組み合わせが、前記複数の病室のうち前記人間が入るのが検出された病室の入口の外側に設けられたデバイスの前記音声発生器またはスピーカから発せられるように、発せられる１つ以上の模擬音声警告を前記複数のデバイスごとに前記看護コンソールで選択するステップとを含む、
方法。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
接触可能なインタラクション表面と、
触覚型フィードバックを与えるために前記インタラクション表面に配置されるアクチュエータのアレイと、
指向性触覚型感覚を与えるように連係した態様でアクチュエータを起動させるためのコントローラとを有し、
前記指向性触覚型感覚は、アクチュエータの段階的な起動により、一方向において単調に変化する起動度合いを伴って生成され、及び／又は、アクチュエータは、前記インタラクション表面に接触しているオブジェクトと前記表面との間の摩擦を変えるように起動される、ユーザインタフェース。
【請求項２】
アクチュエータのアレイを有するインタラクション表面に接触しているユーザに対して触覚型フィードバックを与えるための方法であって、指向性触覚型感覚を生成するためにアクチュエータの連係した起動を有し、
前記指向性触覚型感覚は、アクチュエータの段階的な起動により、一方向において単調に変化する起動度合いを伴って生成され、及び／又は、アクチュエータは、前記インタラクション表面に接触しているオブジェクトと前記表面との間の摩擦を変えるように起動される、方法。
【請求項３】
前記インタラクション表面は、ユーザにより接触された少なくとも１つのタッチポイントの動作及び／又は位置を決定するように適合される、請求項１に記載のユーザインタフェース又は請求項２に記載の方法。
【請求項４】
前記少なくとも１つのタッチポイントの動作及び／又は位置に依存する領域におけるアクチュエータだけが指向性触覚型感覚を与えるために起動される、請求項３に記載のユーザインタフェース又は方法。
【請求項５】
指向性触覚型感覚の方向は、前記少なくとも１つのタッチポイントの動作及び／又は位置に依存する、請求項３に記載のユーザインタフェース又は方法。
【請求項６】
接触可能なインタラクション表面と、
触覚型フィードバックを与えるために前記インタラクション表面に配置されるアクチュエータのアレイと、
指向性触覚型感覚を与えるように連係した態様でアクチュエータを起動させるためのコントローラとを有し、
前記指向性触覚型感覚は、前記インタラクション表面上の所与の位置に指向され、前記位置は、制御要素の移動方向及び／又は位置に対応する、ユーザインタフェース。
【請求項７】
前記指向性触覚型感覚は、中心に対して内方に又は外方に放射状に指向される、請求項１又は請求項６に記載のユーザインタフェース。
【請求項８】
前記インタラクション表面は、画像ディスプレイの上に配置される、請求項１又は請求項６に記載のユーザインタフェース。
【請求項９】
前記指向性触覚型感覚は、前記ディスプレイ上に示された画像シーケンス及び／又は画像に相関される、請求項８に記載のユーザインタフェース。
【請求項１０】
接触可能なインタラクション表面と、
触覚型フィードバックを与えるために前記インタラクション表面に配置されるアクチュエータのアレイと、
指向性触覚型感覚を与えるように連係した態様でアクチュエータを起動させるためのコントローラと、
前記インタラクション表面の下に配置される画像ディスプレイとを有し、
前記指向性触覚型感覚は、表示された画像の拡大又は縮小に相関される、ユーザインタフェース。
【請求項１１】
前記アクチュエータは、電気活性材料、特に電気活性ポリマを有する、請求項１，６，１０のうちいずれか一項に記載のユーザインタフェース又は請求項２に記載の方法。
【請求項１２】
前記指向性触覚型感覚は、隣接したアクチュエータの経時的な起動により生成される、請求項１，６，１０のうちいずれか一項に記載のユーザインタフェース又は請求項２に記載の方法。
【請求項１３】
前記指向性触覚型感覚は、アクチュエータの段階的な起動により、特に一方向において単調に変化する起動度合いにより、生成される、請求項１，６，１０のうちいずれか一項に記載のユーザインタフェース又は請求項２に記載の方法。
【請求項１４】
アクチュエータは、前記インタラクション表面に接触しているオブジェクトと前記表面との間の摩擦を変えるように起動される、請求項１，６，１０のうちいずれか一項に記載のユーザインタフェース又は請求項２に記載の方法。
【請求項１５】
請求項１，６，１０のうちいずれか一項に記載のユーザインタフェースを有する装置、特に携帯電話、照明コントローラ、リモートコントロール又はゲーム機。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
投影露光系（１）のための結像光学系（９）であって、
アナモフィック結像投影レンズ系（２６，２７）を有し、
前記少なくとも１つの投影レンズ系（２６，２７）は、２つの主要平面の方向に同符号結像スケールを有し、
前記少なくとも１つの投影レンズ系（２６，２７）は、少なくとも４つのミラーを含む、
ことを特徴とする結像光学系（９）。
【請求項２】
前記少なくとも１つのアナモフィック結像投影レンズ系は、少なくとも１つがアナモフィック結像を行う少なくとも２つの部分レンズ系（２６，２７）を有することを特徴とする請求項１に記載の結像光学系（９）。
【請求項３】
円形射出瞳を特徴とする請求項１又は請求項２に記載の結像光学系（９）。
【請求項４】
前記少なくとも１つのアナモフィック結像投影レンズ系（２６，２７）は、少なくとも１つのミラー（Ｍ１からＭ８）を含み、特に、該ミラー（Ｍ１からＭ８）のうちの少なくとも１つが、自由曲面を有することを特徴とする請求項１から請求項３のいずれか１項に記載の結像光学系（９）。
【請求項５】
第１の方向の第１の結像スケールと、該第１の結像スケールの少なくとも１．５倍大きい第２の方向の第２の結像スケールとを特徴とする請求項１から請求項４のいずれか１項に記載の結像光学系（９）。
【請求項６】
方向依存の物体側開口数（ＮＡＯ）を特徴とする請求項１から請求項５のいずれか１項に記載の結像光学系（９）。
【請求項７】
少なくとも０．４の像側開口数と、
視野中心点に対する７°よりも小さい物体側主ビーム角度と、
走査方向に対して垂直な方向に１３ｍｍよりも大きい幅を有する像視野（１０）と、
を特徴とする請求項１から請求項６のいずれか１項に記載の結像光学系（９）。
【請求項８】
請求項１から請求項７のいずれか１項に記載の結像光学系（９）を有し、
放射線（１４）を放射線源（３）から物体視野（５）に伝達するための照明光学系（４）を有する、
ことを特徴とする光学系。
【請求項９】
請求項８に記載の光学系を有し、
放射線源（３）を有する、
ことを特徴とする投影露光系（１）。
【請求項１０】
走査方向に変位させることができる、レチクル（７）を保持するレチクルホルダ（８）を有し、
結像光学系（９）の走査方向の結像スケールが、それに垂直な方向のものよりも小さい、
ことを特徴とする請求項９に記載の投影露光系（１）。
【請求項１１】
請求項９又は請求項１０に記載の投影露光系のためのレチクル（７）であって、
少なくとも１０４ｍｍの幅と、
１３２ｍｍよりも大きい長さと、
を有することを特徴とするレチクル（７）。
【請求項１２】
微細構造化構成要素を生成する方法であって、
レチクル（７）と感放射線層を有するウェーハ（１２）とを準備する段階と、
請求項９又は請求項１０に記載の投影露光系（１）を用いて前記レチクル（７）上の構造を前記ウェーハ（１２）上の前記感放射線層上に投影する段階と、
前記ウェーハ（１２）上の前記露光された層を現像する段階と、
を有することを特徴とする方法。
【請求項１３】
請求項１２に記載の方法によって生成された構成要素。
【手続補正書】
【提出日】平成26年11月1日(2014.11.1)
【手続補正１】
【補正対象書類名】明細書
【補正対象項目名】０００７
【補正方法】変更
【補正の内容】
【０００７】
分別を実現するには、対象試料成分が検出器を通過する前にサイズ分析を行うことにより、選択された１若しくはそれ以上の対象分離済み成分を、その選択された１若しくはそれ以上の試料成分の決定されたサイズに基づき、分離チャネルから試料成分収集位置へと転流させることができるようにする必要がある。すなわち、分別装置は、精確な時間を決定して対象物質を試料成分収集位置へと転流させるため、リアルタイムでサイジング（サイズ決定）を行う必要がある。したがって、分別装置におけるサイジングを改善するため、補正されたサイジングラダーを使ってサイズ分析を行う方法を提供することが有利である。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第７，４１９，７８４号明細書
（特許文献２）  米国特許出願公開第２００７／０２４５１８４号明細書
（特許文献３）  米国特許出願公開第２００９／０１４９６４０号明細書
（特許文献４）  米国特許第６，２２１，６０３号明細書
【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
光線結合装置組立体であって、
第一像と第二像とを結合することにより結合像を生成するように構成され、さらに、使用者へ前記結合像を送るように構成された光線結合装置と、
一つ以上の表示灯に対応する位置において前記光線結合装置に連結された一つ以上の光導管であって、光導管のそれぞれが、各表示灯からの光を受け取るように構成され、さらに、前記光線結合装置へ前記各表示灯からの前記光を送るように構成された、一つ以上の光導管と、
を具備する、光線結合装置組立体。
【請求項２】
前記光線結合装置は該光線結合装置の軸線方向表面を通して使用者へ前記結合像を送るように構成され、前記一つ以上の光導管は前記光線結合装置の半径方向表面へ前記光を送るように構成されている、請求項１に記載の光線結合装置組立体。
【請求項３】
前記一つ以上の光導管は、前記光線結合装置によって送られる前記結合像の周囲に前記表示灯の表示が見られるように前記光を送るべく構成されている、請求項１に記載の光線結合装置組立体。
【請求項４】
前記一つ以上の光導管は実質的に周囲方向に前記光線結合装置へ前記光を送る、請求項１に記載の光線結合装置組立体。
【請求項５】
前記一つ以上の光導管は、前記光線結合装置によって送られる前記結合像の外側に前記表示灯の表示が見られるように前記光を送るように構成されている、請求項１に記載の光線結合装置組立体。
【請求項６】
前記一つ以上の光導管は実質的に半径方向に前記光線結合装置へ前記光を送る、請求項１に記載の光線結合装置組立体。
【請求項７】
前記一つ以上の光導管は、前記光線結合装置によって送られる前記結合像の少なくとも一部の全体にわたって前記光が拡散するように、前記光を送るように構成されている、請求項１に記載の光線結合装置組立体。
【請求項８】
前記一つ以上の光導管は、前記光線結合装置によって送られる前記結合像の単一位置に前記光が集束されるように、前記光を送るように構成されている、請求項１に記載の光線結合装置組立体。
【請求項９】
さらに、使用者光学出力部を具備し、
前記光線結合装置は前記使用者光学出力部へ前記結合像を送るように構成され、
前記使用者光学出力部は前記結合像の焦点を合わせて該結合像を前記使用者に送るように構成されている、請求項１に記載の光線結合装置組立体。
【請求項１０】
さらに、前記光線結合装置を保持するように構成されたフレームを具備し、
前記一つ以上の光導管は前記フレームに取り付けられている、請求項１に記載の光線結合装置組立体。
【請求項１１】
前記第二像を生成して前記光線結合装置へ前記第二像を送るように構成され且つディスプレイコネクタスロットを有するディスプレイと、
該ディスプレイのディスプレイコネクタスロットに連結されるようになっており且つ前記一つ以上の表示灯を有するディスプレイコネクタと、
をさらに具備する、請求項１０に記載の光線結合装置組立体。
【請求項１２】
前記フレームは取り付け部を有し、
前記ディスプレイコネクタは、前記ディスプレイに連結されるとき、前記フレームの取り付け部に取り付けられる、請求項１１に記載の光線結合装置組立体。
【請求項１３】
前記取り付け部はスナップ式アームを具備する、請求項１２に記載の光線結合装置組立体。
【請求項１４】
各光導管は、前記ディスプレイコネクタが前記ディスプレイに連結されるとき、各表示灯から光を受け取るように構成され、
各光導管は、前記ディスプレイコネクタが前記ディスプレイに連結されるとき、前記各表示灯からの前記光を前記光線結合装置へ送るように構成されている、請求項１１に記載の光線結合装置組立体。
【請求項１５】
各光導管は、前記ディスプレイコネクタが前記ディスプレイに連結されるとき、前記各表示灯からの前記光の全てを受け取るように構成されている、請求項１４に記載の光線結合装置組立体。
【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
廃棄物用空気圧式管運搬システムの移送パイプの接合部の気密度を試験及び／又は圧力試験する方法であって、前記方法では、試験される管セクションが、一方の管部の内側において他方の管部から隔離されると共に、圧力媒体が前記管セクション内に導かれ、前記圧力媒体の漏れ及び／又は圧力が、試験される前記管セクションにおいて監視され、
前記方法においては、第１のシール手段（３１）を含む第１の壁部（２１）及び第２のシール手段（３３）を含む第２の壁部（２２）を備える装置が、前記移送パイプの内側に入れられ、
この場合、試験される前記管セクションが、前記第１の壁部（２１）と前記第２の壁部（２２）との間にあり、
この場合、前記第１の壁部の前記第１のシール手段（３１）は第１の管部の内面（１４）に対してより密接され、且つ前記第２の壁部（２２）の前記第２のシール手段（３３）は第２の管部の内面（１５）に対してより密接され、
圧力媒体は、前記第１の壁部（２１）及び前記第２の壁部（２２）と前記管セクションの内面とによって画定されるチャンバースペース（２３）内に送られ、
圧力若しくは圧力変化が測定されるか、又は前記管セクションのシール欠陥が示されることを特徴とする、方法。
【請求項２】
前記第１の壁部の前記第１のシール手段（３１）及び／又は前記第２の壁部の前記第２のシール手段（３３）は、圧力媒体によって動作するベローズ手段であり、前記ベローズ手段は、加圧されると第１の位置から第２の位置へと半径方向に膨張し、前記第１又は第２の管部の前記内面に対してより密接することを特徴とする、請求項１に記載の方法。
【請求項３】
圧力媒体は、前記第１及び第２の管部の壁に形成される開口（１２）から前記チャンバースペース（２３）内に送られることを特徴とする、請求項１又は２に記載の方法。
【請求項４】
圧力媒体は、前記装置の本体（２４）に配置された圧力媒体チャンネル（２７）を介して前記チャンバースペース（２３）内に送られることを特徴とする、請求項１〜３のいずれか１項に記載の方法。
【請求項５】
圧力媒体は、前記装置の本体（２４）に配置された圧力媒体チャンネル（２８、２９）を介して、前記第１及び第２のシール手段（３１、３３）内に送られることを特徴とする、請求項１〜４のいずれか１項に記載の方法。
【請求項６】
試験される前記管セクションが、前記チャンバースペースを備えるスリーブ部（４）を用いることによって形成され、
前記第１及び第２の管部（２、３）の上面において、共に接続される前記第１及び第２の管部（２、３）の接続点から或る距離だけ前記スリーブ部（４）が延在するように、共に接続される前記第１及び第２の管部（２、３）の対向するバット端面（５、６）が、互いに当接して前記チャンバースペース内に位置付けられ、
前記スリーブ部（４）は、加熱手段（７）を備え、前記加熱手段を加熱する結果として、前記スリーブ部（４）と前記第１及び第２の管部（２、３）との間に接合部が形成され、
共に接続される前記第１及び第２の管部（２、３）の互いに当接して位置付けられた前記バット端面（５、６）の位置決めを確認することができる地点において、検査開口（８）が、前記スリーブ部の壁を外側から内側まで貫通して前記スリーブ部（４）に形成され、
前記検査開口（８）は、圧力媒体ホース又は測定センサーの用の開口であることを特徴とする、請求項１〜５のいずれか１項に記載の方法。
【請求項７】
廃棄物用空気圧式管運搬システムの移送パイプの接合部の気密度を試験及び／又は圧力試験する装置であって、
前記装置は、前記移送パイプに挿入されるように、且つ前記移送パイプから取り出されるように適合され、
前記装置は、第１のシール手段（３１）を含む第１の壁部（２１）と、第２のシール手段（３３）を含む第２の壁部（２２）とを備え、
この場合、試験される管セクションが、前記第１の壁部（２１）と前記第２の壁部（２２）との間にあり、
この場合、前記装置は、前記第１の壁部の前記第１のシール手段（３１）を第１の管部の内面（１４）に対してより密接させる手段と、前記第２の壁部（２２）の前記第２のシール手段（３３）を第２の管部の内面（１５）に対してより密接させる手段と、前記第１の壁部（２１）及び前記第２の壁部（２２）と前記管セクションの内面とによって画定されるチャンバースペース（２３）内に圧力媒体を送る手段と、前記チャンバースペース（２３）の圧力若しくは圧力変化を測定するか、又は前記管セクションのシール欠陥を示す手段と、を備えることを特徴とする、装置。
【請求項８】
前記第１の壁部（２１）の前記第１のシール手段（３１）及び／又は前記第２の壁部（２２）の前記第２のシール手段（３３）は、圧力媒体によって動作するベローズ手段であり、前記ベローズ手段は、加圧されると第１の位置から第２の位置へと半径方向に膨張し、前記第１又は第２の管部の前記内面に対してより密接することを特徴とする、請求項７に記載の装置。
【請求項９】
前記装置は、前記第１及び第２のシール手段（３１、３３）のチャンバー（３２、３４）内に圧力媒体を送る、前記装置の本体（２４）に配置された圧力媒体チャンネル（２８、２９）を備えることを特徴とする、請求項７又は８に記載の装置。
【請求項１０】
前記チャンバースペース（２３）内に圧力媒体を送る圧力媒体チャンネル（２７）が前記装置の本体（２４）に配置されることを特徴とする、請求項７〜９のいずれか１項に記載の装置。
【請求項１１】
圧力媒体は、前記第１及び第２の管部の壁に形成される開口（１２）から前記チャンバースペース（２３）内に送られることを特徴とする、請求項７〜１０のいずれか１項に記載の装置。
【請求項１２】
前記第１又は第２の壁部（２１、２２）に関連して、支持壁（３５、３６；３７、３８）が前記第１又は第２の管部の横断方向に互いから或る距離をおいて存在しており、前記支持壁間の空間に前記第１又は第２のシール手段（３１、３３）が配置されることを特徴とする、請求項７〜１１のいずれか１項に記載の装置。
【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
コンピュータ処理ユニットであって、
ビデオコントローラと、
ＤＶＩ−Ｉコネクタと、
ディスプレイポートコネクタと、
を備え、
前記ＤＶＩコネクタ及び前記ディスプレイポートコネクタは、前記ビデオコントローラに電気的に接続される、コンピュータ処理ユニット。
【請求項２】
前記ＤＶＩコネクタはＤＶＩ−Ｉコネクタを備える、請求項１に記載のコンピュータ処理ユニット。
【請求項３】
前記ＤＶＩ−ＩコネクタはデュアルリンクＤＶＩ−Ｉコネクタを備える、請求項２に記載のコンピュータ処理ユニット。
【請求項４】
ＶＧＡ−ＶＤＩドングルは、前記ＤＶＩコネクタに電気的に接続されて、ＶＧＡディスプレイをサポートする、請求項１に記載のコンピュータ処理ユニット。
【請求項５】
ＤＶＩ−ＨＤＭＩドングルは前記ＤＶＩコネクタに電気的に接続される、請求項１に記載のコンピュータ処理ユニット。
【請求項６】
ＶＧＡコネクタ及び第２のＤＶＩコネクタを備えるＹスプリッタが、前記ＤＶＩコネクタに取り付けられる、請求項１に記載のコンピュータ処理ユニット。
【請求項７】
中央演算処理装置を有するプリント回路基板であって、前記プリント回路基板は、異なる組み合わせのビデオディスプレイコネクタを有する複数の基板に電気的に接続するように配線され、前記複数の基板は、入／出力基板及び電源基板から選択される、プリント回路基板と、
前記異なる組み合わせのビデオディスプレイコネクタのそれぞれのＢＩＯＳ情報を含むＢＩＯＳと、
をさらに備える、請求項１に記載のコンピュータ処理ユニット。
【請求項８】
動的インタフェースであって、システムバスを介して処理ユニットに動作可能に接続された複数の回路を備え、前記複数の回路は２つ以上のインタフェース技術を含み、前記動的インタフェースはさらに、周辺装置に動作可能に接続される、インタフェース。
【請求項９】
前記動的インタフェースは、コネクタに接続された複数の非関連レーンを備えるＰＣＩｅインタフェースである、請求項８に記載のインタフェース。
【請求項１０】
前記２つ以上のインタフェース技術は、ＵＳＢインタフェース、ＰＣＩエクスプレスインタフェース、ＳＡＴＡインタフェース、Ｉ２Ｃインタフェース、及びＰＭＢｕｓインタフェースからなる群から選択される、請求項８に記載のインタフェース。
【請求項１１】
前記処理ユニットは、非周辺ベースのケース、冷却プロセス、最適化回路基板構成、最適化処理アドメモリ比率、及び動的バックプレーンのうちの少なくとも１つをさらに備える、請求項８に記載のインタフェース。
【請求項１２】
前記動的インタフェースはさらに、前記処理ユニットの前記システムバスに直接接続される、請求項８に記載のインタフェース。
【請求項１３】
前記複数の回路は複数のゾーン回路である、請求項８に記載のインタフェース。
【請求項１４】
前記複数の回路は少なくとも１つのパススルー回路を含む、請求項８に記載のインタフェース。
【請求項１５】
前記周辺装置は、第２の周辺装置に動作可能に接続される動的インタフェースをさらに備える、請求項８に記載のインタフェース。
【請求項１６】
複数のストレージモジュールを受ける動的ストレージインタフェースを備える動的拡張可能ストレージドライブであって、前記動的拡張可能ストレージドライブは、追加のストレージモジュールを前記動的ストレージインタフェースに追加することにより拡張される記憶容量を有する、ストレージドライブ。
【請求項１７】
前記複数のストレージモジュールは、ＲＡＭ、ＲＯＭ、及びフラッシュメモリのうちの少なくとも１つを備える、請求項１６に記載のストレージドライブ。
【請求項１８】
前記ストレージインタフェースはフラッシュコントローラをさらに備える、請求項１６に記載のストレージドライブ。
【請求項１９】
前記フラッシュコントローラは、システムバスを介して処理ユニットのＢＩＯＳに動作可能に接続される、請求項１８に記載のストレージドライブ。
【請求項２０】
前記フラッシュコントローラは、ＢＩＯＳにパーティションテーブルと前記処理ユニットの検出された記憶容量との間の誤りを修正するように促す、請求項１９に記載のストレージドライブ。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
データを記憶するように構成された複数のストレージデバイスを含むデータ記憶媒体と
、
前記データ記憶媒体に結合されたデータストレージコントローラと、
を備え、前記データストレージコントローラは、
前記データ記憶媒体を対象とする、第１のタイプの動作及び第２のタイプの動作を含
む要求を受け取り、
前記第１のタイプの要求を、前記複数のストレージデバイスによって直ちに処理され
るようにスケジュールし、
前記第２のタイプの要求を、前記複数のストレージデバイスによって後で処理される
ようにキューに入れる、
ように構成される、
ことを特徴とするコンピュータシステム。
【請求項２】
前記第１のタイプの動作は、レイテンシが相対的に短いと予想される動作に対応し、前
記第２のタイプの動作は、レイテンシが相対的に長いと予想される動作に対応する、
ことを特徴とする請求項１に記載のコンピュータシステム。
【請求項３】
前記第１のタイプの動作は、読み込み要求に対応し、前記第２のタイプの動作は、書き
込み要求、キャッシュフラッシュ、又はトリム動作に対応する、
ことを特徴とする請求項２に記載のコンピュータシステム。
【請求項４】
前記複数のストレージデバイスは、ソリッドステートストレージデバイスであり、該ソ
リッドステートストレージデバイスの各々は、読み込み要求を相対的に短いレイテンシで
処理し、書き込み要求を相対的に長いレイテンシで処理する、
ことを特徴とする請求項１に記載のコンピュータシステム。
【請求項５】
前記ストレージコントローラは、前記第２のタイプの動作に対応する複数の要求をキュ
ーに入れた後、前記第１のタイプの動作に対応する要求の処理を中断し、前記第２のタイ
プの動作に対応する要求のみを処理するように構成される、
ことを特徴とする請求項１に記載のコンピュータシステム。
【請求項６】
前記第２のタイプの動作に対応する前記複数の要求は、書き込み要求に対応し、前記ス
トレージコントローラは、前記書き込み要求の後に、所与のデバイスに対してダミーの読
み込みを自動的にスケジュールするように構成される、
ことを特徴とする請求項５に記載のコンピュータシステム。
【請求項７】
前記ストレージコントローラは、前記複数のデバイスのうちの別のデバイスが相対的に
短い応答レイテンシを示していることを検出したことに応答して、前記第２のタイプの動
作に対応する要求の処理を中断するように構成される、
ことを特徴とする請求項５に記載のコンピュータシステム。
【請求項８】
前記第２のタイプの動作に対応する前記複数の要求は、書き込み要求に対応し、前記ス
トレージコントローラは、前記書き込み要求を、処理するための複数の不連続単位のデー
タとしてストリーミングし、前記ストレージコントローラは、前記単位のいずれかの後に
前記ストリーミングを停止することができる、
ことを特徴とする請求項２に記載のコンピュータシステム。
【請求項９】
前記ストレージコントローラは、所与の状態を検出したことに応答して、前記第１のタ
イプに対応する要求の処理を直ちに停止し、前記第２のタイプに対応するキューに入れら
れた要求の処理を開始するように構成される、
ことを特徴とする請求項１に記載のコンピュータシステム。
【請求項１０】
前記状態は、特定数の前記第２のタイプの要求がキューに入ったこと、前記第２のタイ
プの要求が処理されてからある時間が経過したこと、及び一定の時間にわたって新たな要
求が受け取られなかったことのうちの少なくとも１つを含む、
ことを特徴とする請求項９に記載のコンピュータシステム。
【請求項１１】
コンピューティングシステムで使用するための方法であって、
データを記憶するように構成された複数のストレージデバイスを含むデータ記憶媒体を
対象とする、第１のタイプの動作及び第２のタイプの動作を含む要求を受け取るステップ
と、
前記第１のタイプの要求を、前記複数のストレージデバイスによって直ちに処理される
ようにスケジュールするステップと、
前記第２のタイプの要求を、前記複数のストレージデバイスによって後で処理されるよ
うにキューに入れるステップと、
を含むことを特徴とする方法。
【請求項１２】
プログラム命令を含むコンピュータ可読記憶媒体であって、前記プログラム命令は、処
理デバイスによる実行時に、
データを記憶するように構成された複数のストレージデバイスを含むデータ記憶媒体を
対象とする、第１のタイプの動作及び第２のタイプの動作を含む要求を受け取り、
前記第１のタイプの要求を、前記複数のストレージデバイスによって直ちに処理される
ようにスケジュールし、
前記第２のタイプの要求を、前記複数のストレージデバイスによって後で処理されるよ
うにキューに入れる、
ように動作可能であることを特徴とするコンピュータ可読記憶媒体。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
少なくとも１つのＲＡＩＤグループにデータを記憶するように構成された複数のストレ
ージデバイスを含むデータ記憶媒体と、
前記データ記憶媒体に結合されたデータストレージコントローラと、
を備え、前記データストレージコントローラは、
前記データ記憶媒体を対象とする読み込み要求を受け取り、
前記複数のストレージデバイスのうちの、前記読み込み要求が対象とするデータを含
む少なくとも第１のストレージデバイスを識別し、
前記第１のストレージデバイスが相対的に長い応答レイテンシ又は相対的に低いスル
ープットの少なくとも一方を含む可変パフォーマンスを示すであろうことを検出又は予測
したことに応答して、前記複数のストレージデバイスのうちの前記第１のストレージデバ
イス以外の１又はそれ以上のデバイスから前記データを取得するように構成された再構成
読み込み要求を生成する、
ように構成される、
ことを特徴とするコンピュータシステム。
【請求項２】
前記ストレージコントローラは、最近のＩ／Ｏ要求の履歴に少なくとも部分的に基づい
て前記再構成読み込み要求を生成するように構成される、
ことを特徴とする請求項１に記載のコンピュータシステム。
【請求項３】
前記再構成読み込み要求は、前記複数のストレージデバイスのうちの少なくとも２つの
デバイスを対象とする少なくとも２つの読み込み要求を含み、前記ストレージコントロー
ラは、前記少なくとも２つの読み込み要求をほぼ同時に完了するようにスケジュールする
よう構成される、
ことを特徴とする請求項１に記載のコンピュータシステム。
【請求項４】
前記ストレージコントローラは、前記ＲＡＩＤグループ内の前記複数のデバイスのうち
のＮ個を超えないデバイスが、スケジュールされた長いレイテンシ動作を常に行っている
ように相対的に長いレイテンシ動作をスケジュールするようにさらに構成される、
ことを特徴とする請求項１に記載のコンピュータシステム。
【請求項５】
前記長いレイテンシ動作は、キャッシュフラッシュ動作、トリム動作、及びブロック消
去動作、休止状態、書き込み、又は長い読み込みのうちの１又はそれ以上を含む、
ことを特徴とする請求項４に記載のコンピュータシステム。
【請求項６】
前記ストレージコントローラは、受け取っている要求の速度が所与の閾値を超えたこと
を検出したことに応答して、前記ＲＡＩＤグループ内のＮ個を超えないデバイスが常に使
用中になるように相対的に長いレイテンシ動作をスケジュールするように構成される、
ことを特徴とする請求項４に記載のコンピュータシステム。
【請求項７】
前記ストレージコントローラは、前記要求の速度が閾値を下回ったことを検出したこと
に応答して、前記ＲＡＩＤグループ内の前記複数のデバイスのうちのＮ個を超えないデバ
イスがスケジュールされた長いレイテンシ動作を常に行っているように相対的に長いレイ
テンシ動作をスケジュールするように構成される、
ことを特徴とする請求項６に記載のコンピュータシステム。
【請求項８】
前記複数のストレージデバイスの各々は、保留中の動作を記憶するためのキューを含み
、前記ストレージコントローラは、前記少なくとも２つの読み込み要求を、これらの各々
を対応するストレージデバイスのキュー内のほぼ同じキュー深度、又は完了時間がほぼ等
しいと予測されるキュー深度に記憶することによってほぼ同時に完了するようにスケジュ
ールするよう構成される、
ことを特徴とする請求項３に記載のコンピュータシステム。
【請求項９】
前記読み込み要求は、所与の優先度を有し、前記ストレージコントローラは、前記少な
くとも２つの読み込み要求の両方を前記所与の優先度と同じ優先度でスケジュールするよ
うに構成される、
ことを特徴とする請求項８に記載のコンピュータシステム。
【請求項１０】
前記読み込み要求は、所与の優先度を有し、前記ストレージコントローラは、前記少な
くとも２つの読み込み要求の各々を、互いに異なる優先度を有するようにスケジュールす
るよう構成される、
ことを特徴とする請求項８に記載のコンピュータシステム。
【請求項１１】
前記ストレージコントローラは、前記少なくとも２つの読み込み要求の読み込み対象で
あるデバイスの状態に基づいて、前記少なくとも２つの読み込み要求の各々をスケジュー
ルすべき優先度を決定するように構成される、
ことを特徴とする請求項１０に記載のコンピュータシステム。
【請求項１２】
前記状態は、対応するデバイスのキュー占有レベル、及び対応するデバイスの平均応答
レイテンシの一方又は両方を含む、
ことを特徴とする請求項１１に記載のコンピュータシステム。
【請求項１３】
前記ストレージコントローラは、受け取った要求を複数の要求に区分化し、該複数の要
求間に再構成読み込み要求を挿入するようにさらに構成される、
ことを特徴とする請求項３に記載のコンピュータシステム。
【請求項１４】
コンピューティングシステムで使用するための方法であって、
少なくとも１つのＲＡＩＤグループにデータを記憶するように構成された複数のストレ
ージデバイスを含むデータ記憶媒体を対象とする読み込み要求を受け取るステップと、
前記複数のストレージデバイスのうちの、前記読み込み要求が対象とするデータを含む
少なくとも第１のストレージデバイスを識別するステップと、
前記第１のストレージデバイスが相対的に長い応答レイテンシ又は相対的に低いスルー
プットの少なくとも一方を含む可変パフォーマンスを示すであろうことを検出又は予測し
たことに応答して、前記複数のストレージデバイスのうちの前記第１のストレージデバイ
ス以外の１又はそれ以上のデバイスから前記データを取得するように構成された再構成読
み込み要求を生成するステップと、
を含むことを特徴とする方法。
【請求項１５】
プログラム命令を含むコンピュータ可読記憶媒体であって、前記プログラム命令は、処
理デバイスによる実行時に、
少なくとも１つのＲＡＩＤグループにデータを記憶するように構成された複数のストレ
ージデバイスを含むデータ記憶媒体を対象とする読み込み要求を受け取り、
前記複数のストレージデバイスのうちの、前記読み込み要求が対象とするデータを含む
少なくとも第１のストレージデバイスを識別し、
前記第１のストレージデバイスが相対的に長い応答レイテンシ又は相対的に低いスルー
プットの少なくとも一方を含む可変パフォーマンスを示すであろうことを検出又は予測し
たことに応答して、前記複数のストレージデバイスのうちの前記第１のストレージデバイ
ス以外の１又はそれ以上のデバイスから前記データを取得するように構成された再構成読
み込み要求を生成する、
ように動作可能であることを特徴とするコンピュータ可読記憶媒体。